(57)【要約】【課題】プロジェクトの成果物に着眼してプロジェクト計画を立案するプロジェクト管理システムにおいて、プロジェクトの成果物を管理するための構成管理にかかわる手間を軽減するプロジェクト管理装置を提供する。【解決手段】データベースコマンド生成部は、比較したフェーズ名、アクティビティ名、タスク名のいずれかについて同一性がないと判定されたときに、同一性のないフェーズ名、アクティビティ名、タスク名について、フェーズ名でフォルダを生成するコマンドの生成を行い、フェーズ名およびアクティビティ名でフォルダを生成するコマンドの生成を行い、あるいはフェーズ名、アクティビティ名およびタスク名でフォルダを生成するコマンドの生成を行う。【選択図】図３
2008276426.tif 000002
【特許請求の範囲】
【請求項１】
プロジェクト計画を管理するプロジェクト計画管理部、プロジェクト成果物の管理に用いるデータベースおよびプロジェクト成果物構成の管理に用いるデータベースの生成のためのフォルダのコマンドを生成するデータベースコマンド生成部、生成されたコマンドを実行するデータベースコマンド実行部および生成されたデータベースを備えたプロジェクト管理装置において、
フェーズ、アクティビティおよびタスクから構成された前記プロジェクト成果物構成についてフェーズ名、アクティビティ名あるいはタスク名を読み込むプロジェクト成果物構成読み込み手段と、
参照プロジェクト計画のプロジェクト成果物構成を示すフェーズ、アクティビティおよびタスクについてのフェーズ名、アクティビティ名およびタスク名を前記プロジェクト成果物読み込み手段によって読み込まれたフェーズ名、アクティビティ名およびタスク名とそれぞれ比較し、同一性を判定するフェーズ名、アクティビティ名、タスク名同一性判定手段と、
前記データベースコマンド生成部は、比較したフェーズ名、アクティビティ名、タスク名のいずれかについて同一性がないと判定されたときに、同一性のないフェーズ名、アクティビティ名、タスク名について、フェーズ名でフォルダを生成するコマンドの生成を行い、フェーズ名およびアクティビティ名でフォルダを生成するコマンドの生成を行い、あるいはフェーズ名，アクティビティ名およびタスク名でフォルダを生成するコマンドの生成を行い、
以ってプロジェクト成果物構成に用いるデータベースの更新を行うこと
を特徴とするプロジェクト管理装置。
【請求項２】
請求項１において、前記フェーズ名、アクティビティ名、タスク名同一性判定手段は、新しいフェーズ名、新しいアクティビティ名あるいは新しいタスク名が追加されているかによって同一性を判定することを特徴とするプロジェクト管理装置。
【請求項３】
請求項１において、前記フェーズ名、アクティビティ名、タスク名同一性判定手段は、削除したフェーズ名、削除したアクティビティ名あるいは削除したタスク名があるかによって同一性を判定することを特徴とするプロジェクト管理装置。
【請求項４】
請求項１から３のいずれかにおいて、参照プロジェクト計画は、前記データベースコマンド生成部によって作成されたプロジェクト成果物構成の管理に用いるデータベースに格納され、更新された最新のプロジェクト計画であることを特徴とするプロジェクト管理装置。
【請求項５】
請求項１から４のいずれかにおいて、前記プロジェクト計画管理部は、計画変更管理部からのプロジェクト計画変更データに基づいたプロジェクト計画について管理することを特徴とするプロジェクト管理装置。
【発明の詳細な説明】
【技術分野】
【０００１】
本発明は、ソフトウェア開発管理を支援するプロジェクト管理装置に関する。
【背景技術】
【０００２】
プロジェクト開始時には、各工程で実施する作業項目とその内容およびその成果物を定義したプロジェクト計画が作成され、プロジェクト管理者が開発メンバーに作業を割り当て、プロジェクトが進行する。
【０００３】
プロジェクトの進捗は、プロジェクト計画の中で定義された成果物の進捗状況により決定する。
【０００４】
プロジェクトの成果物は、プロジェクト参画メンバーの中から構成管理担当者がプロジェクト管理者により任命され、成果物の構成管理にあたる。構成管理担当者は、成果物を管理するためのデータベース構造を決定し、データベースを作成する。
【０００５】
特許文献１には、プロジェクト管理システム、プログラム及び記憶媒体では、プロジェクトの成果物に着眼し、予め空きの実体を文書管理システムに登録しておき、この実体へのリンク情報を工程と関連づけて、プロジェクト情報管理データベースへ登録しておくことにより成果物の進捗を管理することを特徴とするプロジェクト管理システム、プログラム及び記憶媒体が記載されている。
【０００６】
特許文献２には、プロジェクトを構成するタスクとその成果物である文書とを対応付けて管理し、文書の作成状況から対応するタスクの進捗率を算出することが記載されている。
【０００７】
特許文献３には、プロジェクトの期間を分割したフェーズ情報のリストと、プロジェクトで行う作業を階層的に整理した基本作業情報のツリーを保持し、フェーズ情報と基本作業情報の組に対してフェーズ作業情報を作成可能にし、フェーズ作業情報にそのフェーズにおけるその基本作業に関する情報を保持する。また、上記フェーズ作業情報の子として、フェーズ作業情報の作業を更に細分化した複数の詳細フェーズ作業情報を追加可能にすることが記載されている。
【０００８】
【特許文献１】特開２００３−１０８７３５号公報
【特許文献２】特開２００５−２２７８９２号公報
【特許文献３】特開２００６−３３８３０９号公報
【発明の開示】
【発明が解決しようとする課題】
【０００９】
プロジェクトの成果物に着眼してプロジェクト計画を立案するプロジェクト管理システムにおいて、プロジェクトの成果物を管理するための構成管理にかかわる手間を軽減することのできるプロジェクト管理装置を提供することを目的とする。
【課題を解決するための手段】
【００１０】
本発明は、プロジェクト計画を管理するプロジェクト計画管理部、プロジェクト成果物の管理に用いるデータベースおよびプロジェクト成果物構成の管理に用いるデータベースの生成のためのフォルダのコマンドを生成するデータベースコマンド生成部、生成されたコマンドを実行するデータベースコマンド実行部および生成されたデータベースを備えたプロジェクト管理装置において、
フェーズ、アクティビティおよびタスクから構成された前記プロジェクト成果物構成についてフェーズ名、アクティビティ名あるいはタスク名を読み込むプロジェクト成果物構成読み込み手段と、
参照プロジェクト計画のプロジェクト成果物構成を示すフェーズ、アクティビティおよびタスクについてのフェーズ名、アクティビティ名およびタスク名を前記プロジェクト成果物読み込み手段によって読み込まれたフェーズ名、アクティビティ名およびタスク名とそれぞれ比較し、同一性を判定するフェーズ名、アクティビティ名、タスク名同一性判定手段と、
前記データベースコマンド生成部は、比較したフェーズ名、アクティビティ名、タスク名のいずれかについて同一性がないと判定されたときに、同一性のないフェーズ名、アクティビティ名、タスク名についてフェーズ名でフォルダを生成するコマンドの生成を行い、フェーズ名＋アクティビティ名でフォルダを生成するコマンドの生成を行い、あるいはフェーズ名＋アクティビティ名＋タスク名でフォルダを生成するコマンドの生成を行い、
以ってプロジェクト成果物構成に用いるデータベースの更新を行うこと
を特徴とするプロジェクト管理装置を提供する。
【００１１】
本発明は、また、前記フェーズ名、アクティビティ名、タスク名同一性判定手段は、新しいフェーズ名、新しいアクティビティ名あるいは新しいタスク名が追加されているかによって同一性を判定することを特徴とするプロジェクト管理装置を提供する。
【００１２】
本発明は、また、前記フェーズ名、アクティビティ名、タスク名同一性判定手段は、削除したフェーズ名、削除したアクティビティ名あるいは削除したタスク名があるかによって同一性を判定することを特徴とするプロジェクト管理装置を提供する。
【００１３】
本発明は、また、参照プロジェクト計画は、前記データベースコマンド生成部によって作成されたプロジェクト成果物構成の管理に用いるデータベースに格納され、更新された最新のプロジェクト計画であることを特徴とするプロジェクト管理装置を提供する。
【００１４】
本発明は、また、前記プロジェクト計画管理部は、計画変更管理部からのプロジェクト計画変更データに基づいたプロジェクト計画について管理することを特徴とするプロジェクト管理装置を提供する。
【発明の効果】
【００１５】
本発明によれば、プロジェクト計画作成と同時に、プロジェクトの成果物と成果物の構成管理を行うデータベースを構築することにより、プロジェクトの構成管理担当者の負担軽減を図ることができる。
【発明を実施するための最良の形態】
【００１６】
以下、本発明の実施例を図面に基づいて説明する。
【実施例１】
【００１７】
図１は、本発明のプロジェクト管理装置を説明するための全体構成図である。図１において、プロジェクト管理システムは、プロジェクト管理装置１００とプロジェクト管理装置１００に備えられた成果物管理装置２００、さらにプロジェクト管理者やプロジェクト要員が作業を行う端末１０、１１、１２が、イントラネットやインターネット等のネットワーク３００を介して接続されて構成される。
【００１８】
プロジェクト管理装置１００には、プロジェクト計画、プロジェクト計画変更履歴が格納されている。成果物管理装置２００には、プロジェクトの成果物、プロジェクトの成果物の構成管理情報が格納されている。
【００１９】
図２は、本発明のプロジェクト管理装置１００の機能構成を説明するためのブロックである。プロジェクト管理装置１００には、プロジェクトの計画を管理する計画管理部１０１、データベース生成コマンド生成部１０３、プロジェクト変更を管理するプロジェクト変更管理部１０４、データベース生成コマンド生成部１０６がある。プロジェクト計画管理部１０１ではプロジェクト計画が解釈され、計画変更管理部１０４には計画変更履歴となる変更されたプロジェクト計画がファイルされ、プロジェクト計画の一部となる。データベース生成コマンド生成部１０３は、プロジェクト計画管理部１０１にファイルされたプロジェクト計画１０２を読み込む。読み込んだプロジェクト計画からデータベース生成コマンドを生成する。生成したデータベース生成コマンドは成果物管理装置２００へ送信され、この場合に、データベース生成コマンド受信部２０３、データベース生成コマンド実行部２０１を介してプロジェクト成果物と成果物構成管理用データベース２０２に送信される。
【００２０】
図３は、プロジェクト管理装置１００の詳細構成をブロックで示す。プロジェクト管理装置１００は、プロジェクト計画管理部１０１、データベース２０２、プロジェクト成果物構成読み出し手段２１１および演算処理手段２５０を備える。
【００２１】
プロジェクト計画管理部１０１は、参照プロジェクト計画（例えば最新のプロジェクト計画）１１２を備え、参照プロジェクト計画１１２は、成果物１５１および成果物構成１５２から成り、成果物構成１５２はフェーズ１５３、アクティビティ１５４およびタスク１５５から構成される。ここで、フェーズはプロジェクト全体に対してそれよりも小さな期間・規模でプロジェクトを区切った単位として用いられ、アクティビティはフェーズ作業を数個の中工程に区分した時の区分名称として用いられ、システム分析フェーズは目標設定、現状調査・分析、課題設定、システム案作成、評価と開発計画、意思決定の６つのアクティビティで構成されることが知られている。タスクは０３から見た処理の実行単位として用いられ、各アクティビティは数個のタスク（小工程）に細分化される。
【００２２】
上記同様に、プロジェクト計画１０２は成果物１３１および成果物構成１３２から成り、成果物構成１３２はフェーズ１３３、アクティビティ１３４およびタスクから構成される。
【００２３】
成果物構成１５２および成果物構成１３２の構成（形態）を図４（ａ）および図４（ｂ）に示す。
【００２４】
図４（ａ）に示すように、フェーズ１は階層的にアクティビティ１−１、アクティビティ１−２、…を備え、アクティビティ１−１はタスク１−１−１、タスク１−１−２、…を備える構成であり、フェーズ２についても同様である。
【００２５】
図４（ｂ）に示すように、フェーズ１Ａは階層的にアクティビティ１−１Ａ、アクティビティ１−２Ａ、…を備え、アクティビティ１−１Ａはタスク１−１−Ａ、タスク１−１−２Ａ、…を備える構成であり、フェーズ２Ａについても同様である。
【００２６】
データベース２０２は、図２におけるプロジェクト成果物と成果物構成管理用データベース２０２を示し、成果物のためのデータベース２１１および成果物構成のためのデータベース２３２からなる。成果物構成のためのデータベース２３２は、フェーズ名、アクティビティ名およびタスク名からなるデータを格納する。
【００２７】
プロジェクト成果物構成読み込み手段２１１は、プロジェクト計画１０２の成果物構成１３２であるフェーズ１３３、アクティビティ１３４およびタスク１３５を読み込み、成果物構成名２１２、すなわちフェーズ名２１３、アクティビティ名２１４およびタスク名２１５が読み出される。演算処理手段２５０は、比較・同一性判定手段２５１、フォルダを作成するコマンド生成手段（すなわち図１のデータベースコマンド生成手段１０３）２６０および出力手段２７０を備える。比較・同一性判定手段２５１は、データベース２０２の成果物構成のためのデータベース２３２を参照してフェーズ名２３３、アクティビティ名２３４、タスク名２３５および読み出されたフェーズ名２１３、アクティビティ名およびタスク名２１５を入力して、フェーズ名２５２、アクティビティ２５３およびタスク２５４としての比較および同一性判定、すなわち両者の評価を行う。その結果は、フォルダを作成するコマンド生成手段２６０に送信され、後述するようにして、フェーズ名２６１、フェーズ名＋アクティビティ名２６２、フェーズ名＋アクティビティ名＋タスク名２６３のいずれかの生成を行う。
【００２８】
生成されたこれらのデータは出力手段２７０からデータベース２１１の成果物構成のためのデータベース２３２に出力され、データベース２３２のデータ内容が更新される。
【００２９】
図５はプロジェクト計画の構成図である。プロジェクト計画１０２は、フェーズ１３３、アクティビティ１３４、タスク１３５、成果物１３１、開始日１３６、終了日１３７、担当１３８等の情報から成る。これらはファイルに登録されている。
図５において、フェーズ１３３は、フェーズ名１Ａとして「設計」、フェーズ名２Ａとして「製作」を有し、アクティビティ１３４は、アクティビティ名１−１Ａとして「操作仕様書」、アクティビティ名１−２Ａとして「ワークフロー」を有する。以下、図に示す通りである。タスク１３５は、タスク名１−１−１Ａとして「図面操作説明書」、タスク名１−２−１Ａとして「ログイン」を有する。以下、図に示す通りである。
【００３０】
成果物１３１は、図面操作マニュアル、ログインプログラム等図に示す通りである。
開始日１３６は、作業の開始日であり、終了日は作業の終了日である。担当１３８は担当名である。
【００３１】
図５は、プロジェクト計画１１２を示すが、参照プロジェクト計画１１２についても同様の構成図が作成される。
【００３２】
図６は、プロジェクト管理装置で動作するプロジェクト計画からデータベース生成コマンドを生成するフローチャート図である。
【００３３】
プロジェクト計画からデータベース生成コマンドを生成する処理を図６を参照して説明する。プロジェクト計画が無い場合は、データベース生成コマンドを生成しない（１０３a）。プロジェクト計画が存在した場合は、プロジェクト計画が複数Verあるか否か判定し（１０３ｂ）、複数Ver無い場合は、最新のプロジェクト計画を成果物データベース生成情報としてデータベース生成コマンドを生成する（１０３ｆ）。プロジェクト計画が複数Verある場合は、成果物データベースが最新のプロジェクト計画か否か判定し（１０３ｃ）、最新の場合は、成果物データベース生成情報を作成しない。最新でない場合、成果物データベースのプロジェクト情報と参照プロジェクト計画としての最新のプロジェクト計画の差分を成果物データベース生成情報としてデータベース生成コマンドを生成する（１０３e）。
【００３４】
図７は図６の最新のプロジェクト計画を成果物データベース生成情報としてデータベース生成コマンドを生成する（１０３ｆ）の詳細フローチャート図である。
【００３５】
最新のプロジェクト計画を成果物データベース生成情報としてデータベース生成コマンドを生成する処理を図７を参照して説明する。コマンドを生成する際の生成フォルダ名は、プロジェクト計画のフェーズ名、アクティビティ名、タスク名を用いて作成する。このためにフェーズ名、アクティビティ名、タスク名を初期化（ＮＵＬＬを設定）し（１００１）、プロジェクト計画を読み込む（１００２）。フェーズ名は読み込んだプロジェクト計画のフェーズ名と同一か判定し（１００３）、異なる場合、フェーズ名でフォルダを作成する（１００４）。成果物管理装置のＯＳがWindows（登録商標）系の場合、生成するコマンドは『mkdir フェーズ名』とする。フェーズ名を読み込んだプロジェクトのフェーズ名にする（１００５）。
【００３６】
次にアクティビティ名は読み込んだプロジェクト計画のアクティビティ名と同一か判定し（１００６）、異なる場合、アクティビティ名でフォルダを作成する（１００７）。成果物管理装置のＯＳがWindows（登録商標）系の場合、生成するコマンドは『mkdir フェーズ名\アクティビティ名』とする。アクティビティ名を読み込んだプロジェクトのアクティビティ名とする（１００８）。
【００３７】
次にタスク名は読み込んだプロジェクト計画のタスク名と同一か判定し（１００９）、異なる場合、タスク名でフォルダを作成する（１０１０）。成果物管理装置のＯＳがWindows（登録商標）系の場合、生成するコマンドは『mkdir フェーズ名\アクティビティ名\タスク名』とする。タスク名を読み込んだプロジェクトのタスク名とする（１０１１）。
【００３８】
最後にプロジェクト計画をすべて処理したか判定し（１０１２）、すべて処理した場合は処理を終了する。
すべて処理していない場合は、次のプロジェクト計画について１００２から１０１２を繰り返す。
【００３９】
図８は図６の成果物データベースと最新のプロジェクト計画との差分を成果物データベース生成情報としてデータベース生成コマンドを生成する（１０３e）の詳細フローチャート図である。
【００４０】
成果物データベースと最新のプロジェクト計画との差分を成果物データベース生成情報としてデータベース生成コマンドを生成する処理を図８を参照して説明する。差分は最新プロジェクト計画へのフェーズ追加か判定し（２００１）、追加の場合、フェーズ名でフォルダを作成する（２００２）。成果物管理装置のＯＳがWindows（登録商標）系の場合、生成するコマンドは『mkdir フェーズ名』とする。
【００４１】
次に差分は最新プロジェクト計画へのアクティビティ追加か判定し（２００３）、追加の場合、アクティビティ名でフォルダを作成する（２００４）。成果物管理装置のＯＳがWindows（登録商標）系の場合、生成するコマンドは『mkdir フェーズ名\アクティビティ名』とする。
【００４２】
次に差分は最新プロジェクト計画へのタスク追加か判定し（２００５）、異なる場合、タスク名でフォルダを作成する（２００６）。成果物管理装置のＯＳがWindows（登録商標）系の場合、生成するコマンドは『mkdir フェーズ名\アクティビティ名\タスク名』とする。
【００４３】
次に差分は最新プロジェクト計画からのタスク削除か判定し（２００７）、削除の場合、フェーズ名+アクティビティ名＋タスク名でフォルダを削除する（２００８）。成果物管理装置のＯＳがWindows（登録商標）系の場合、生成するコマンドは『ｒｍdir フェーズ名\アクティビティ名\タスク名』とする。
【００４４】
次に差分は最新プロジェクト計画からのアクティビティ削除か判定し（２００９）、削除の場合、フェーズ名+アクティビティ名でフォルダを削除する（２０１０）。成果物管理装置のＯＳがWindows（登録商標）系の場合、生成するコマンドは『ｒｍdir フェーズ名\アクティビティ名』とする。
【００４５】
次に差分は最新プロジェクト計画からのフェーズ削除か判定し（２０１１）、削除の場合、フェーズ名でフォルダを削除する（２０１２）。成果物管理装置のＯＳがWindows（登録商標）系の場合、生成するコマンドは『mkdir フェーズ名』とする。
【００４６】
最後に差分をすべて処理したか判定し（２０１３）、すべて処理した場合は処理を終了する。
すべて処理していない場合は、次の差分について２００１から２０１３を繰り返す。
【００４７】
成果物管理装置２００では、受信したデータベース生成コマンドをデータベース生成コマンド実行部２０１で実行し、プロジェクト成果物管理データベースを作成する。
【００４８】
図９は、成果物管理装置で動作するデータベース生成コマンド実行部のフローチャート図である。
【００４９】
データベース生成コマンド実行処理を図９を参照して説明する。成果物データベース生成情報が存在しない場合、データベースを生成しない（２０１a）。成果物データベース生成情報が存在する場合、成果物データベース生成情報からコマンド情報を1行取り出し（２０１ｂ）、コマンドを実行する（２０１ｃ）。次に実行するコマンド情報があるか否か判定し（２０１ｄ）、存在する場合は次のコマンド情報を取り出す（２０１ｂ）。次に実行するコマンド情報が存在しない場合は、データベース生成コマンド実行処理を終了する。
【００５０】
本実施例では、プロジェクト管理装置１００、成果物管理装置２００は別装置としているが、これを1台の装置とすることも可能である。
【００５１】
データベース生成コマンド生成部１０３、データベース生成コマンド実行部２０１をユーザが使用するデータベース管理システム向けに入替えることによって、ユーザが使用するデータベース管理システムを利用することが可能である。
【００５２】
以上の構成によれば、プロジェクト計画を管理するプロジェクト計画管理部、プロジェクト成果物の管理に用いるデータベースおよびプロジェクト成果物構成の管理に用いるデータベースの生成のためのフォルダのコマンドを生成するデータベースコマンド生成部、生成されたコマンドを実行するデータベースコマンド実行部および生成されたデータベースを備えたプロジェクト管理装置を用いたデータベースの更新を行う方法が提供される。
【００５３】
プロジェクト成果物構成読み込み手段によって、フェーズ、アクティビティおよびタスクから構成された前記プロジェクト成果物構成についてフェーズ名、アクティビティ名あるいはタスク名を読み込みがなされる。
【００５４】
フェーズ名、アクティビティ名、タスク名同一性判定手段によって、参照プロジェクト計画のプロジェクト成果物構成を示すフェーズ、アクティビティおよびタスクについてのフェーズ名、アクティビティ名およびタスク名を前記プロジェクト成果物読み込み手段によって読み込まれたフェーズ名、アクティビティ名およびタスク名とそれぞれ比較し、同一性判定がなされる。
【００５５】
このデータベースコマンド生成部は、比較したフェーズ名、アクティビティ名、タスク名のいずれかについて同一性がないと判定されたときに、同一性のないフェーズ名、アクティビティ名、タスク名について、フェーズ名でフォルダを生成するコマンドの生成を行い、フェーズ名およびアクティビティ名でフォルダを生成するコマンドの生成を行い、あるいはフェーズ名，アクティビティ名およびタスク名でフォルダを生成するコマンドの生成を行う。
このようにして、プロジェクト成果物構成に用いるデータベースの更新がなされる。
【００５６】
フェーズ名、アクティビティ名、タスク名同一性判定手段は、新しいフェーズ名、新しいアクティビティ名あるいは新しいタスク名が追加されているかによって同一性を判定する。
【００５７】
フェーズ名、アクティビティ名、タスク名同一性判定手段は、削除したフェーズ名、削除したアクティビティ名あるいは削除したタスク名があるかによって同一性を判定する。
【００５８】
参照プロジェクト計画は、前記データベースコマンド生成部によって作成されたプロジェクト成果物構成の管理に用いるデータベースに格納され、更新された最新のプロジェクト計画であることを特徴とする。
【００５９】
プロジェクト計画管理部は、計画変更管理部からのプロジェクト計画変更データに基づいたプロジェクト計画について管理することを特徴とする。
【図面の簡単な説明】
【００６０】
【図１】本発明の実施例のプロジェクト管理装置を含むプロジェクト管理システムの概略を説明するブロック図。
【図２】本発明の実施例のプロジェクト管理装置の機能構成を説明するためのブロック図。
【図３】本発明の実施例のプロジェクト管理装置の詳細構成を示すブロック図。
【図４】図３の一部詳細図。
【図５】プロジェクト計画の構造図。
【図６】プロジェクト計画からデータベース生成コマンドを生成するフローチャート図。
【図７】最新のプロジェクト計画を成果物データベース生成情報としてデータベース生成コマンドを生成する詳細フローチャート図。
【図８】成果物データベースと最新のプロジェクト計画との差分を成果物データベース生成情報としてデータベース生成コマンドを生成する詳細フローチャート図。
【図９】データベース生成コマンド実行部のフローチャート図。
【符号の説明】
【００６１】
１…プロジェクト管理システム、１０、１１、１２…端末、１００…プロジェクト管理装置、１０１…プロジェクト計画管理部、１０２…プロジェクト計画、１０３…データベース生成コマンド生成部、１０４…計画変更管理部、１０５…計画変更履歴、１０６…データベース生成コマンド送信部、２００…成果物管理装置、２０１…データベース生成コマンド実行部、２０２…プロジェクト成果物と成果物構成管理用データベース、２０３…データベース生成コマンド受信部、３００…ネットワーク。
【図１】
2008276426.tif 000003
【図２】
2008276426.tif 000004
【図３】
2008276426.tif 000005
【図４】
2008276426.tif 000006
【図５】
2008276426.tif 000007
【図６】
2008276426.tif 000008
【図７】
2008276426.tif 000009
【図８】
2008276426.tif 000010
【図９】
2008276426.tif 000011